【事件の表示】
　平成１０年特許願第１７４５８４号「画像処理装置および方法、並びに記録媒体」拒絶査定不服審判事件〔平成１２年　１月１４日出願公開、特開２０００−　１０６９６〕について、次のとおり審決する。
【結　論】
　本件審判の請求は、成り立たない。
【理　由】
第１　手続きの経緯　
　本願は平成１０年６月２２日に出願されたものであって，平成１９年９月２８日付けで拒絶査定がなされ，これに対して平成１９年１１月１日に拒絶査定不服審判が請求されるとともに同年１１月２９日付けで手続補正がなされたものである。
　
第２　平成１９年１１月２９日の手続補正についての補正却下の決定
［補正却下の決定の結論］
　平成１９年１１月２９日付けの手続補正を却下する。
　
［理由］
１．補正後の本願発明
　平成１９年１１月２９日付けの手続補正により，特許請求の範囲の請求項１乃至４は，
　「【請求項１】　操作者を撮像する
複数の
　被操作装置を操作するための仮想的な操作部と，
複数の
複数の
のうちの，前記操作者の所定の
　
複数の前記撮像手段によって撮像された前記操作者の複数の画像から認識される三次元的な位置関係であって，かつ，
所定の
三次元的な
三次元
三次元
　を備えることを特徴とする画像処理装置。
【請求項２】　前記表示制御手段は，前記被操作装置制御手段の制御の内容の表示もさらに制御する
　ことを特徴とする請求項１に記載の画像処理装置。
【請求項３】　操作者を撮像する
複数の撮像手段により，前記操作者を撮像する
　被操作装置を操作するための仮想的な操作部と，前記撮像ステップによって撮像された前記操作者の
複数の
のうちの，前記操作者の所定の画像
　
前記撮像ステップによって撮像された前記操作者の複数の画像から認識される三次元的な位置関係であって，かつ，
三次元的な
三次元
三次元
　を含むことを特徴とする画像処理方法。
【請求項４】　操作者を撮像する
複数の撮像手段により，前記操作者を撮像する
　被操作装置を操作するための仮想的な操作部と，前記撮像ステップによって撮像された前記操作者の
複数の
のうちの，前記操作者の所定の画像
　
前記撮像ステップによって撮像された前記操作者の複数の画像から認識される三次元的な位置関係であって，かつ，
所定の
三次元的な
三次元
三次元
　を含む処理を画像処理装置に実行させるコンピュータが読み取り可能なプログラムが記録されることを特徴とする記録媒体。」
と補正された。
　なお，下線は審決に於いて附した。
　
２．補正の適否について
　平成１９年１１月２９日付けの手続補正は，少なくとも補正前の請求項１記載された発明を特定するために必要な事項である，
「撮像手段」を「複数の撮像手段」と限定し，「前記撮像手段」を「複数の前記撮像手段」と限定し，「画像」を「複数の画像のうちの，前記操作者の所定の画像」と限定し，「前記表示部に表示される前記仮想的な操作部と，前記表示部に表示される前記操作者の画像との位置関係」を「複数の前記撮像手段によって撮像された前記操作者の複数の画像から認識される三次元的な位置関係であって，かつ，前記表示部に表示される前記仮想的な操作部と，前記表示部に表示される前記操作者の所定の画像との三次元的な位置関係」と限定し，「動作」を「三次元動作」と限定する補正であるから，特許法第１７条の２第４項の特許請求の範囲の減縮を目的とするものに該当する。
　そこで，平成１９年１１月２９日付けの手続補正書の請求項１に記載された発明（以下，「本願補正発明」という。）が特許出願の際独立して特許を受けることができるものであるか，すなわち平成１８年法律第５５号改正附則第３条第１項によりなお従前の例によるとされる同法による改正前の特許法第１７条の２第５項において準用する同法第１２６条第５項の規定に適合するかどうかについて以下に検討する。
　
３．引用刊行物
　原審が拒絶の理由に引用した特開平６−３０１４７６号公報(平成６年１０月２８日出願公開。以下，「引用例１」という。）には，図面と共に次の各記載がある。
　
（ア）「【０００４】
【課題を解決するための手段，作用】この発明によれば，画像を取り込む撮像手段と，取り込んだ画像における特異点の位置を検出する位置検出手段と，を有することを特徴とする位置検出装置が提供される。この構成によれば，画像を取り込み，取り込んだ画像中の特異点の位置を検出することができる。このように，位置検出のために画像入力を用いる方式は従来，全くなかった新規な方式である。更に，
この発明によれば，画像を取り込む撮像手段と，取り込んだ画像における特異点の位置を検出する位置検出手段と，検出した特異点の位置に基づいて出力を制御する制御手段と，を有することを特徴とする位置検出装置が提供される。
　なお，下線は審決に於いて附された。以下，同様。
　
（イ）「【０００５】
【実施例】以下，図面を参照してこの発明の実施例を説明する。この実施例はこの発明を電子楽器に応用した例である。図１に実施例の位置検出装置の使用状況の概要を示す。
撮像部を内蔵する位置検出装置２の前で演奏者４がペンライト２０（特異点）を振る。この画像は位置検出装置２に取り込まれる。位置検出装置２は取り込んだ画像のなかで特異点であるペンライト２０の位置（正確にはペンライト先端のランプ位置）を検出する。検出した特異点の位置が仮想楽器モデル世界内の楽器操作エリア（例えばドラムセットのシンバル操作位置）に入ったら，該当する楽器音を発生させる。更に，位置検出装置２は，ディスプレイ６に仮想楽器モデル世界の画像と演奏者４からの実画像とを合成して表示させる。
【０００６】図２と図３に示すように，位置検出装置２は前面（図２）に，電源スイッチ１０，撮像部のレンズ１２が設けられ，裏面にはＡＣアダプタに接続される電源端子１４，サウンドシステム（図示せず）に接続されるオーディオ出力端子１６，ディスプレイ６に接続されるビデオ出力端子１８が設けられる。ペンライト２０は図４に示すように先端にＬＥＤ等のランプ２２が設けられる。ランプ２２のオン／オフはペンライト側部のスイッチ２４で行われる。
【０００７】
図５に位置検出装置２の回路構成を示す。演奏者４からの実画像はレンズ１２を介してＣＣＤ３０に取り込まれる。
信号処理回路３６はＣＣＤ３０からの信号を処理し，実画像に係るカラーＮＴＳＣ信号（実画像ＮＴＳＣ信号）を形成する。この実画像ＮＴＳＣ信号は輝度検出回路３８と画像合成回路４０に供給される。
【０００８】
一方ＣＧ発生器４２はビデオＲＡＭ４４からのデジタルＣＧ画像データを処理し，仮想画像（コンピュータグラフィクス画像）を表わすＮＴＳＣ信号を形成する。この仮想画像ＮＴＳＣ信号は画像合成回路４０に供給される。
【０００９】ＣＧ発生器４２と信号処理回路３６の動作を同期させるために（仮想画像ＮＴＳＣ信号と実画像ＮＴＳＣ信号の各走査を同期させるために），タイミング回路３４から所定のタイミング信号がＣＧ発生器４２と信号処理回路３６に供給される。
【００１０】
画像合成回路４０は仮想画像と実画像とを合成するものである。
【００１１】この実施例は電子楽器への応用例であるので，
仮想画像は楽器に関するものである。仮想画像の画面構成は，図８に示すようにバックグラウンド面１００とイベント時に重ね合わされるスプライト面１０２から成る。スプライト面１０２はバックグラウンド面１００におけるいずれかの楽器が実画面１０８の演奏者４のペンライト２０により仮想的に操作された（打たれた）ときに操作に係る楽器近くに表示されるよう，バックグラウンド面１００と重ね合わされる。
【００１２】なお，楽器ゲームの選択時に，マイコンシステム４６からＣＧ発生器４２を介してビデオＲＡＭ４４に選択楽器ゲームに係るバックグラウンド面の画像データとスプライト面の画像データがセットされる。これに関連し，マイコンシステム４６は種々の楽器ゲームに関するデータメモリとしてＲＯＭ４８を有している。
【００１３】また，バックグラウンド面の楽器以外の部分（背景）は白であり，上述した画像合成回路４０の合成により，実画面１０８の演奏者の手前に楽器（ドラムセット）がくるように重ねられた合成画面１０６が得られる。演奏者４のペンライト２０の位置（特異点の位置）を検出するために，輝度検出回路３８が設けられる。輝度検出回路３８の構成を図６に示す。」
　
（ウ）「【００１４】輝度検出回路３８には信号処理回路３６から実画像ＮＴＳＣ信号が入力される。また，タイミング回路３４からフレームクロックＶＣＫ，行クロックＲＣＫ，列クロックＨＣＫが供給される。図７のタイミングチャートに示すように，フレームクロックＶＣＫはＮＴＳＣ信号の１フレーム（１画面，２フィールド）ごとに発生する。行クロックＲＣＫはＮＴＳＣ信号の１走査線期間ごとに発生する。列クロックＨＣＫはＮＴＳＣ信号の１走査線中の映像期間（輝度信号期間）の間に２５６回発生する。いいかえると，列クロックＨＣＫは水平を２５６画素とみたときに各画素位置で発生する。
【００１５】実画像ＮＴＳＣ信号は輝度検出回路３８のＡＤＣ５０によりアナログ／デジタル変換され，列クロックＨＣＫで動作するサンプリングレジスタ５２により，各画素のデジタル値がサンプリングされる。サンプリングレジスタ５２の出力は大小比較器５４に供給される。大小比較器５４はサンプリングレジスタ５２の出力値と（フレームクロックＶＣＫでリセットされる）ピークホールドレジスタ５６の内容とを比較し，サンプリングレジスタ５２の出力値の方が大きいとき，比較クロック出力を発生し，ピークホールドレジスタ５６に新たなピークであるピークホールドレジスタ５６の出力を取り込ませる，とともに列レジスタ６０と行レジスタ６４をクロック動作させる。
【００１６】一方，列カウンタ５８は行クロックＲＣＫごとにリセットされ，列クロックＨＣＫをカウントする。行カウンタ６２はフレームクロックＶＣＫでリセットされ，行クロックＲＣＫをカウントする。
【００１７】したがって，１フレーム（１画面）のなかで最高輝度をもつ画素の位置がこの輝度検出回路３８で検出されることになる。すなわち，最高輝度の画素のタイミングで，大小比較器５４から比較クロック出力が発生し，この比較クロック出力により，列レジスタ６０はその時点の列カウンタ５８の列カウント（最高輝度画素の列座標）を取り込み，行レジスタ６０はその時点の行カウンタ６２の行カウント（最高輝度画素の行座標）を取り込む。ここに，行カウントと列カウントとで示される最高輝度の画素位置は，演奏者４が操作しているペンライト２０の点灯ランプ２２の位置，即ち，実画像における特異点の位置を表わしている。
【００１８】列レジスタ６０と行レジスタ６４の出力はマイコンシステム４６のポートに接続される。マイコンシステム４６はタイミング回路３４からのフレームクロックＶＣＫに応答して図９に示すようなＶインタラプトルーチンを実行する。
【００１９】
先ずステップ９−１で輝度検出回路３８の行レジスタ６４と列レジスタ６０の内容である特異点（ペンライト）の位置を読み込む。次に，エリアテスト９−２を行なう。エリアテスト９−２では選択楽器ゲームの各楽器の操作エリアデータ（ＲＯＭ４８上）を特異点（ペンライト）の位置データと比較し，新たに特異点が操作エリアに入ったときにイベントフラグを立て，該当するイベントの種類（例えばハイハット，ドラム）をセットする。ステップ９−３でイベントフラグが立っていれば，ステップ９−４でイベントの種類に対応したスプライト表示指示をＣＧ発生器４２に与える。これはスプライト面１０２の表示位置データを含むスプライト表示コマンドをＣＧ発生器４２に送ることで行われる。これを受けてＣＧ発生器４２はバックグラウンド面上にスプライト面１０２を指示された位置に重ね合わせ，そのＮＴＳＣ信号を形成する。この結果，例えば，図８の１０８に示すようにシンバルがペンライトで仮想的（間接的）に打たれたときはシンバルの上方に音符スプライト面が表示される。
【００２０】
更にマイコンシステム４６はステップ９−５で該当するイベントの種類に対応する楽器の音色データ（ＲＯＭ４８上）を含む発音指示コマンドを音源４８に送る。これを受けて音源４８は対応する楽音信号を発生する。この楽音信号はオーディオ出力端子１６を介して外部に出力される
　
（エ）「【００２１】以上で実施例の説明を終えるがこの発明の範囲内で種々の変形，応用が可能である。
【００２２】例えば，特異点とその検出方式について，ペンライト以外のもの，輝度検出方式以外の方式が可能である。例えば，特定の形状（例えば星印）を特異点（検出対象）として，取り込んだ画像から特定の形状とその位置を認識することができる。
【００２３】また，特異点は１つに限らず複数であってもよい。例えば２本のペンライトの各々の位置を輝度の検出によって特定することができる。これは，例えば，１フレーム中の複数の高輝度位置（最高輝度から順次Ｎ番目までの高輝度位置）をストアするメモリ（例えばシフトレジスタ）を輝度検出回路にもたせ，マイコンシステムで複数の高輝度位置のデータを調べ，最高輝度位置を第１ペンライトの位置と決め，この第１ペンライトの位置からある程度以上離れた位置を示す高輝度位置データを第２ペンライト位置と決めることで達成できる。
【００２４】また，実施例ではディスプレイに表示される画面の一部を実画像としているが，実画像に代え，適当なＣＧ（コンピュータグラフィックス）画像を用いてもよい。あるいは実画像を処理して，ＣＧ画像を形成してもよい。これにより，バックグラウンドのＣＧ画像と実画像に基づくＣＧ画像の画質を合わせることができる。この発明は楽器ゲームに限らず，その他の種々のゲーム機やパーソナルコンピュータ装置に応用可能である。
【００２５】
【発明の効果】以上，詳細に述べたように，この発明では画像を取り込み，取り込んだ画像中の特異点（検出対象）の位置を検出しているので従来にない新規な位置検出装置を提供することができる。また，検出した特異点の位置に基づいて所望の出力を制御することにより，種々のアプリケーションへの応用が可能である。」
　
　以上の記載からみて，引用例１には，次のような発明が記載されているものと認められる。
　「撮像部を内蔵する位置検出装置２の前で，演奏者４がペンライト２０を振ると，演奏者４の画像は位置検出装置２に取り込まれ，位置検出装置２はペンライト２０の位置を検出し，検出した位置が仮想楽器モデル世界内の楽器操作エリア，例えばドラムセットのシンバル操作エリアに入ったら，マイコンシステム４６はイベントの種類に対応するＲＯＭ４８上の楽器の音色データを含む発音指示コマンドを音源４８に送り，これを受けて音源４８は対応する楽音信号を発生し，そしてシンバルが演奏者４のペンライト２０で仮想的に打たれたときは，ＣＧ発生器４２はシンバルの上方に音符スプライト面１０２を表示し，位置検出装置２の画像合成回路４０は，ディスプレイ６に楽器に関する仮想画像と演奏者４の実画面を合成して表示する，
　装置。」
　
４．対比
　本願補正発明と引用例１に記載された発明（以下，「引用発明」という。）を対比する。
（１）引用発明の「撮像部」は，本願補正発明の「撮像手段」に相当する。
（２）引用発明の「演奏者４」は，本願補正発明の「操作者」に相当する。
（３）引用発明の「ディスプレイ６」は，本願補正発明の「表示部」に相当する。
（４）引用発明の「仮想楽器モデル世界内の楽器操作エリア」及び「ドラムセット等から構成される仮想楽器モデル世界の楽器群」は，本願補正発明の「仮想的な操作部」に相当する。
（５）引用発明の「演奏者４がペンライト２０を振ると，演奏者４の画像は位置検出装置２に取り込まれ，位置検出装置２はペンライト２０の位置を検出し，検出した位置が仮想楽器モデル世界内の楽器操作エリア，例えばドラムセットのシンバル操作エリアに入ったら，マイコンシステム４６はイベントの種類に対応するＲＯＭ４８上の楽器の音色データを含む発音指示コマンドを音源４８に送り，これを受けて音源４８は対応する楽音信号を発生」する構成及び「シンバルが演奏者４のペンライト２０で仮想的に打たれたときは，ＣＧ発生器４２はシンバルの上方に音符スプライト面１０２を表示」する構成は，本願補正発明の「被操作装置」に相当する。
（６）引用発明には，演奏者４が撮像部を内蔵する位置検出装置２の前でペンライト２０を振ると，演奏者４の画像は位置検出装置２に取り込まれ，位置検出装置２はペンライト２０の位置を検出することが記載されているから，本願補正発明と引用発明とは，
　「操作者を撮像する撮像手段」
を備えている点で一致する。
（７）引用発明には，位置検出装置２がディスプレイ６に仮想楽器モデル世界の画像と演奏者４の実画面を合成して表示することが記載されているから，本願補正発明と引用発明とは，
　「仮想的な操作部と，撮像手段によって撮像された操作者の画像とを表示部に表示させる表示制御手段」
を備えている点で一致する。
（８）引用発明には，位置検出装置２はペンライト２０の位置を検出し，検出した位置が仮想楽器モデル世界内の楽器操作エリア，例えばドラムセットのシンバル操作エリアに入ったら，マイコンシステム４６はイベントの種類に対応するＲＯＭ４８上の楽器の音色データを含む発音指示コマンドを音源４８に送り，これを受けて音源４８は対応する楽音信号を発生してシンバルの楽器音を発生させ，そしてシンバルがペンライト２０で仮想的に打たれたときは，ＣＧ発生器４２はバックグラウンド面１００上でかつシンバルの上方に音符スプライト面１０２を表示することが記載されている。ペンライトは演奏者が持って操作するものであり、ペンライトの位置を検出することは操作者の位置や動きを検出することに相当する。よって、本願補正発明と引用発明とは，
　「撮像手段によって撮像された」「操作者の」「画像から認識される位置関係であって，かつ，表示部に表示される仮想的な操作部と，表示部に表示される」「操作者の」「画像との位置関係から，仮想的な操作部に対する操作者の動作を解析している」
といえる。
（９）引用発明には，演奏者４がペンライト２０を振り，ペンライト２０の検出位置が仮想楽器モデル世界内の楽器操作エリアに入ったら，音源４８やサウンドシステムが該当する楽器音を発生させ，そして該当する楽器がペンライト２０で仮想的に打たれたときは，ＣＧ発生器４２は音符スプライト面１０２を表示させることが記載されているから，本願補正発明と引用発明とは，
　「仮想的な操作部に対する操作者の動作に対応して，被操作装置を制御する被操作装置を制御する制御手段」
を備えている点で一致する。
　
　そうすると，本願補正発明と引用発明との間の一致点及び相違点は次のとおりである。
　
（一致点）
　「操作者を撮像する撮像手段と，
　被操作装置を操作するための仮想的な操作部と，前記撮像手段によって撮像された前記操作者の画像とを表示部に表示させる表示制御手段と，
　前記撮像手段によって撮像された前記操作者の画像から認識される位置関係であって，かつ，前記表示部に表示される前記仮想的な操作部と，前記表示部に表示される前記操作者の画像との位置関係から，前記仮想的な操作部に対する前記操作者の動作を解析し，前記仮想的な操作部に対する前記操作者の動作に対応して，前記被操作装置を制御する被操作装置制御手段と
　を備える画像処理装置。」
　
（相違点１）
　本願補正発明は，複数の撮像手段を備えることにより得られる操作者の複数の画像のうちの所定の画像を表示部に表示すると共に仮想的な操作部を表示部に表示し，そして表示部に表示される前記操作者の所定の画像と前記仮想的な操作部との間の三次元的な位置関係から，仮想的な操作部に対する操作者の三次元動作を解析し，仮想的な操作部に対する操作者の三次元動作に対応して被操作装置を制御しているのに対し，
　引用発明は，撮像部により得られる演奏者４の所定の画像をディスプレイ６に表示すると共に仮想楽器モデル世界内の楽器，例えばシンバルやドラムの画像のような仮想的な操作部をディスプレイ６に表示し，そしてディスプレイ６に表示された前記演奏者４の画像と前記仮想的操作部との間の位置関係，すなわちペンライト２０の検出位置が仮想楽器モデル世界内の楽器操作エリアに入ったか否かの位置関係から，仮想的な操作部に対する演奏者４の動作に対応して被操作装置を制御している点。　　
　すなわち，本願補正発明は複数の撮像手段を備えることにより，操作者の三次元的な動作の解析を可能にし，操作者の三次元動作に対応して被操作装置を制御しているのに対し，引用発明は，演奏者４の三次元的な動作の解析をしておらず，演奏者４の持つペンライトの動作に対応して被操作装置を制御している点。
　
（相違点２）
　本願補正発明は表示装置に表示された仮想的な操作部を操作することにより，該表示部に表示されている仮想的な操作部とは別体構成の被操作装置を制御しているのに対し，引用発明はディスプレイ６に表示された仮想的な操作部を操作することにより，該ディスプレイ６に表示された操作部と一体的に構成された音源４８やサウンドシステム，そしてＣＧ発生器４２からなる被操作装置を制御している点。
　
５．判断
（相違点１について）
　テレビカメラ等の複数の撮像手段を備え，色々な方向から見た操作者の複数の画像を得ることにより，操作者の三次元的な動作の解析を可能にし，操作者の三次元動作に対応して被操作装置を制御することは，例えば，特開平４−２７１４２３号公報（段落０００９−００２０参照）および特開昭６１−１９６３１７号公報（公報第２頁右上欄第４行〜第３頁左上欄第２０行参照）にその旨が記載されているように当業者には周知慣用されている技術事項であるから，かかる周知技術事項を引用発明に適用して本願補正発明の如く構成することは当業者が適宜なし得ることである。
　
（相違点２について）
　表示装置に表示された仮想的な操作部を操作することにより，この仮想的な操作部とは別体構成の被操作装置を制御することは，例えば，特開平９−８１３０７号公報（段落０００２，００１０，００２２，００３４，００５６−００６１参照），特開平９−１８５４５６号公報（段落００４１−００４９参照。）にその旨が記載されているように当業者には周知な技術常識であるから，かかる周知技術事項を引用発明に適用して本願補正発明の如く構成することは当業者が適宜なし得ることである。
　
　そして，本願補正発明の奏する効果は，引用発明及び周知技術の奏する効果から予測される範囲内のものにすぎず，格別顕著なものということはできない。
　したがって，本願補正発明は，引用発明及び及び周知技術に基づいて当業者が容易に発明をすることができたものである。
　
６．本願補正発明についてのむすび
　以上のとおり，本願補正発明は，特許法第２９条第２項の規定により特許出願の際独立して特許を受けることができるものではなく，したがって，平成１９年１１月２９日付けの手続補正は，平成１８年法律第５５号改正附則第３条第１項によりなお従前の例によるとされる同法による改正前の特許法第１７条の２第５項において準用する同法１２６条第５項の規定に違反するので，同法第１５９条第１項において読み替えて準用する同法第５３条第１項の規定により却下すべきものである。
　
第３　本願発明について
１．本願発明
　平成１９年１１月２９日付けの手続補正は前記のとおり却下されたから，本願の特許請求の範囲の請求項１に係る発明（以下，「本願発明」という。）は，平成１９年７月１３日付けの手続補正により補正された特許請求の範囲の請求項１に記載された次のとおりのものである。
　
　「【請求項１】　操作者を撮像する撮像手段と，
　被操作装置を操作するための仮想的な操作部と，前記撮像手段によって撮像された前記操作者の画像とを表示部に表示させる表示制御手段と，
　前記表示部に表示される前記仮想的な操作部と，前記表示部に表示される前記操作者の画像との位置関係から，前記仮想的な操作部に対する前記操作者の動作を解析し，前記仮想的な操作部に対する前記操作者の動作に対応して，前記被操作装置を制御する被操作装置制御手段と
　を備えることを特徴とする画像処理装置。」
　
２．引用刊行物
　原査定の拒絶の理由に引用された引用例及びその記載事項は，前記「第２　３．」に記載したとおりである。
　
３．対比・判断
　本願発明は，前記「第２」で検討した本願補正発明から，発明を限定する事項である次の６つの事項，すなわち，
（１）「複数の」
（２）「複数のうちの，前記操作者の所定の画像」
（３）「複数の前記撮像手段によって撮像された前記操作者の複数の画像から認識される三次元的な位置関係であって，かつ，」
（４）「所定の」
（５）「三次元的な」
（６）「三次元」
を省いたものである。
　そうすると，本願発明を特定する事項をすべて含む本願補正発明が，前記「第２　４．」及び「第２　５．」に記載したとおり，引用発明及び周知技術とに基づいて当業者が容易に発明をすることができたものであるから，本願発明も，同様の理由により，引用発明及び周知技術とに基づいて当業者が容易に発明をすることができたものであり，他の請求項について検討するまでもなく，本願は特許を受けることができない。
　
４．本件発明についてのむすび
　したがって、本願発明は、引用発明及び周知技術に基づいて、当業者が容易に発明することができたものであるから、特許法第２９条第２項の規定により特許をうけることができない。
　
　よって，結論のとおり審決する。